(57)【要約】【課題】宛先識別情報を含む信号を受信し、受信した信号を当該宛先識別情報に対応する送信先に対して送信する通信装置で、これらの処理を効率化する。【解決手段】宛先識別情報と送信先識別情報との対応に関する情報を記憶する記憶手段（ＣＡＭ）３と、受信信号に対応する送信先識別情報を記憶する記憶手段（システムメモリのディスクリプタ領域）３２を備える。送信判定手段（ＭＡＣレイヤ）１が、記憶手段３の記憶内容及び受信信号に含まれる宛先識別情報に基づいて、受信信号の送信処理に関する判定を行い、受信信号に含まれる宛先識別情報に対応する送信先識別情報を記憶手段３２に記憶させる。処理手段（ＬＡＮデータリンクレイヤ）が、当該判定後の受信信号を記憶手段３２の記憶内容に基づく送信先識別情報に対応する送信先に対して送信するための処理を行う。【選択図】      図１
2004200996.tif 000002
【特許請求の範囲】
【請求項１】
宛先を識別する宛先識別情報を含む信号を受信し、受信した信号を当該信号に含まれる宛先識別情報に対応する送信先に対して送信する通信装置であって、
宛先識別情報と送信先を識別する送信先識別情報との対応に関する情報を記憶する宛先送信先対応情報記憶手段と、
受信される信号に対応する送信先識別情報を記憶する送信先識別情報記憶手段と、
宛先送信先対応情報記憶手段の記憶内容及び受信される信号に含まれる宛先識別情報に基づいて受信信号の送信処理に関する判定を行う機能及び受信信号に含まれる宛先識別情報に対応する送信先識別情報を送信先識別情報記憶手段に記憶させる機能を有する受信信号送信判定手段と、
受信信号送信判定手段による判定後の受信信号を送信先識別情報記憶手段の記憶内容に基づく送信先識別情報に対応する送信先に対して送信するための処理を行う受信信号処理手段と、
を備えたことを特徴とする通信装置。
【請求項２】
請求項１に記載の通信装置において、
受信側のプロトコルレイヤと送信側のプロトコルレイヤを有し、
受信側のプロトコルレイヤには、受信信号処理手段を備えた第１のレイヤと、受信信号送信判定手段を備えた第２のレイヤが含まれ、
第１のレイヤはソフトウエアを用いて構成され、
第２のレイヤはハードウエアを用いて構成される、
ことを特徴とする通信装置。
【請求項３】
請求項２に記載の通信装置において、
当該通信装置は、基地局装置であり、
送信先は、当該基地局装置により収容される通信局装置であり、
宛先識別情報により識別される宛先は、当該通信局装置により収容される通信端末装置であり、
第１のレイヤは、データリンクレイヤであり、
第２のレイヤは、ＭＡＣレイヤであり、
宛先送信先対応情報記憶手段及び送信先識別情報記憶手段は、それぞれメモリを用いて構成され、
受信信号送信判定手段は、受信信号の送信処理に関する判定として受信信号を廃棄するか否かを判定し、少なくとも受信信号を非廃棄とする場合に当該受信信号に含まれる宛先識別情報に対応する送信先識別情報を送信先識別情報記憶手段に記憶させる、
ことを特徴とする通信装置。
【発明の詳細な説明】
【０００１】
【発明の属する技術分野】
本発明は、受信信号に含まれる宛先識別情報に基づいて受信信号を廃棄するか否かなどを判定する処理及び受信信号を対応する送信先に対して送信する処理を行う通信装置に関し、特に、このような処理を効率化した通信装置に関する。
【０００２】
【従来の技術】
図２には、例えばＦＷＡ（Fixed Wireless Access）などと称せられる無線アクセスシステムの一例として、複数の基地局装置５１ａ、５１ｂと、これら複数の基地局装置５１ａ、５１ｂを接続するバックボーンとなるＬＡＮ（Local AreaNetwork）５２と、１つの基地局装置５１ａにより収容される複数の加入者局装置５３ａ、５３ｂと、それぞれの加入者局装置５３ａ、５３ｂにより収容される複数の加入者端末装置５４ａ、５４ｂ、５５ａ、５５ｂを示してある。
【０００３】
同図に示した無線アクセスシステムでは、それぞれの加入者局装置５３ａ、５３ｂが接続された複数の加入者端末装置５４ａ、５４ｂ、５５ａ、５５ｂとの間で通信を行い、それぞれの基地局装置５１ａ、５１ｂが収容する複数の加入者局装置５３ａ、５３ｂとの間で無線により通信を行う。また、それぞれの基地局装置５１ａ、５１ｂは、有線のＬＡＮインタフェースによりバックボーンＬＡＮ５２と接続されており、他の基地局装置５１ａ、５１ｂとの間で通信することが可能である。
【０００４】
このような無線アクセスシステムでは、例えば、それぞれの加入者端末装置５４ａ、５４ｂ、５５ａ、５５ｂが、加入者局装置５３ａ、５３ｂや基地局装置５１ａ、５１ｂを介して、自己（当該加入者端末装置５４ａ、５４ｂ、５５ａ、５５ｂ）と同一の基地局装置５１ａ、５１ｂの配下に存在する他の加入者端末装置５４ａ、５４ｂ、５５ａ、５５ｂとの間で通信を行うことや、自己とは異なる基地局装置５１ａ、５１ｂの配下に存在する他の加入者端末装置５４ａ、５４ｂ、５５ａ、５５ｂとの間で通信を行うことが為される。
【０００５】
次に、基地局装置５１ａ、５１ｂの構成例を説明する。
なお、それぞれの基地局装置５１ａ、５１ｂの構成は例えば同様であるため、以下では、説明の便宜上から、これらをまとめて基地局装置５１と示して説明を行う。
【０００６】
図３には、基地局装置５１の内部の構成に関して、プロトコルスタックの構成例及びバックボーンＬＡＮ５２側の構成例を示してある。
同図に示した基地局装置５１のプロトコルスタックでは、無線リンクレイヤ６１と無線物理レイヤ６２から構成される無線側プロトコルレイヤと、ＬＡＮデータリンクレイヤ６３とＭＡＣ（Media Access Control）レイヤ６４とＬＡＮ物理レイヤ６５から構成されるＬＡＮ側プロトコルレイヤと、無線側プロトコルレイヤの無線リンクレイヤ６１とＬＡＮ側プロトコルレイヤのＬＡＮデータリンクレイヤ６３とをインタフェースするインタフェース部６６が設けられている。
【０００７】
また、同図に示したバックボーン側の構成では、ＭＡＣレイヤ６４はＤＭＡＣ（Direct Memory Access Controller）７１とＭＡＣ制御部７２から構成されており、また、ＬＡＮの送受信バッファ６７が備えられている。
また、通常、無線物理レイヤ６２やＭＡＣレイヤ６４やＬＡＮ物理レイヤ６５（図中で線模様を付したもの）はハードウエアにより構成され、無線リンクレイヤ６１やＬＡＮデータリンクレイヤ６３やインタフェース部６６はソフトウエアのモジュールとして実装される。
【０００８】
なお、本例では、無線通信の管理や制御を行う部分を無線リンクレイヤ６１と言っており、バックボーンＬＡＮ５２側のデータ処理を行う部分をＬＡＮデータリンクレイヤ６３と言っている。
また、インタフェース部６６では、無線リンクレイヤ６１とＬＡＮデータリンクレイヤ６３との間のデータ転送に必要な情報のやり取りが行われる。
【０００９】
図４には、バックボーンＬＡＮ５２側から無線通信（加入者局装置５３ａ、５３ｂ）側への通信に関して、ＬＡＮデータリンクレイヤ６３と無線リンクレイヤ６１との間のインタフェース部分の構成例を示してある。
同図に示した構成では、ＬＡＮデータリンクレイヤ６３と無線リンクレイヤ６１との間に、複数の加入者局装置（“加入者局装置１”、“加入者局装置２”、・・・）のそれぞれに宛てられた信号をそれぞれの加入者局装置毎に格納するための複数のキュー部（各加入者局宛キュー部）Ｑ１、Ｑ２、・・・と、全ての加入者局装置に宛てられた信号を格納するためのキュー部（全加入者局宛キュー部）ＱＡが設けられている。
【００１０】
このように、本例では、インタフェース部６６において、例えば先入れ先出し方式（ＦＩＦＯ：First In First Out）のキューを用いることにより、ＬＡＮのフレームが非同期に発生するバックボーンＬＡＮ５２側の制御と、通常は同期的にデータの送信（転送）が行われる無線側の制御との間の制御上の違いを吸収することが図られている。
【００１１】
また、同図の例では、上述のように基地局装置５１から加入者局装置５３ａ、５３ｂへのデータ送信（下り通信）に着目した場合を示してあり、通常は、本例のように、キューとしては、各加入者局装置毎に用意されるキューと、全ての加入者局装置に対して一斉に送信する必要があるブロードキャストデータやマルチキャストデータといったデータのために用意されるキューとで、複数個のキューが存在する。
【００１２】
上記図３や上記図４に示されるように、基地局装置５１の内部の制御構成では、バックボーンＬＡＮ５２側のデータ処理を行う部分と、無線通信の管理や制御を行う部分との２つの部分に分けて捉えることが可能である。
【００１３】
上記のような基地局装置５１において、ＬＡＮインタフェースでＬＡＮフレームの受信が発生した場合には、ＭＡＣレイヤ６４内のＤＭＡＣ７１が、受信したＬＡＮフレームをシステムメモリの領域（エリア）上に割り当てられたＬＡＮの受信バッファの空き領域へ転送し、その転送先のアドレスや転送サイズなどの情報をシステムメモリの領域上に割り当てられたディスクリプタ領域に書き込む。
【００１４】
図５には、ディスクリプタ領域８２の構成例を示してあり、また、ＬＡＮ受信バッファ領域８１の構成例を示してある。
同図に示したディスクリプタ領域８２では、１番目（先頭）のディスクリプタ、２番目のディスクリプタ、・・・のそれぞれについて、次のディスクリプタへのリンク先９１ａ、９１ｂと、受信通知用ビット９２ａ、９２ｂと、受信ＬＡＮフレーム格納先９３ａ、９３ｂと、受信ＬＡＮフレームサイズ９４ａ、９４ｂが格納されている。また、同図では、図示を省略したが、受信ステータスが格納される場合もある。
【００１５】
なお、ここでは、通常において用いられるディスクリプタ領域のフォーマットの詳細を示したが、このようなフォーマットは例えば個々のＭＡＣレイヤ６４に実装されるＤＭＡＣ７１の仕様により決定される。
【００１６】
それぞれのディスクリプタでは、次のディスクリプタへのリンク先９１ａ、９１ｂとしては、当該それぞれのディスクリプタの次に参照すべきディスクリプタの先頭アドレスが格納され、具体的には、１番目のディスクリプタにおける次のディスクリプタへのリンク先９１ａでは２番目のディスクリプタの先頭アドレスが格納され、２番目以降のディスクリプタについても同様である。
なお、通常、先頭のディスクリプタのアドレスは、システムの初期化時にＤＭＡＣ７１が具備する専用のレジスタにより通知される。
【００１７】
また、受信通知用ビット９２ａ、９２ｂとしては、ＬＡＮフレームの受信が発生して受信ＬＡＮフレームをＬＡＮ受信バッファ領域８１へ転送することが完了したことをＤＭＡＣ７１からシステム側（ＬＡＮデータリンクレイヤ６３）に通知するための情報が格納される。
【００１８】
また、受信ＬＡＮフレーム格納先９３ａ、９３ｂとしては、受信ＬＡＮフレームを格納した先となるＬＡＮ受信バッファ領域８１のアドレスが格納される。
また、受信ＬＡＮフレームサイズ９４ａ、９４ｂとしては、受信ＬＡＮフレームのサイズが格納される。
【００１９】
具体的には、１番目のディスクリプタについては、受信ＬＡＮフレームサイズ９４ａにより特定されるサイズを有する受信ＬＡＮフレームＦ１１が受信ＬＡＮフレーム格納先９３ａにより特定されるアドレスからＬＡＮ受信バッファ領域８１に格納され、２番目のディスクリプタについては同様に受信ＬＡＮフレームＦ１２が格納され、３番目以降のディスクリプタについても同様である。
【００２０】
また、受信ステータスとしては、受信ＬＡＮフレームの受信ステータスが格納され、具体的には、例えば、エラーの有無や、エラーが有る場合におけるエラーの内容などの情報が格納される。
【００２１】
図６には、ＤＭＡＣ７１と、ＭＡＣ制御部７２と、ＣＡＭ（Contents AddressMemory）１０１と、それぞれの加入者局装置（“加入者局装置１”、“加入者局装置２”、・・・）毎に設けられて無線送信用のバッファを構成するメモリブロック（加入者局用メモリブロック）１１１ａ〜１１１ｃ、１１２ａ〜１１２ｃを示してある。なお、無線送信用のバッファは、通常、複数のメモリブロック１１１ａ〜１１１ｃ、１１２ａ〜１１２ｃから構成される。
【００２２】
ここで、ＣＡＭ１０１は、検索キーとなるデータをアドレス指定した場合に当該キーに対するストアデータを高速で読み出すことが可能な連想メモリデバイスである。本例では、検索キーとしては下り通信のＬＡＮフレームの宛先となるＭＡＣアドレスが用いられ、ストアデータとしては下り通信のＬＡＮフレームの送信先となる加入者局装置の番号（加入者局番号）が用いられる。
【００２３】
なお、ＭＡＣアドレスとしては、例えば、それぞれの加入者局装置５３ａ、５３ｂに収容されるそれぞれの加入者端末装置５４ａ、５４ｂ、５５ａ、５５ｂのＭＡＣアドレスが用いられる。
【００２４】
また、本例では、加入者局装置５３、５３ｂから基地局装置５１へのデータ送信（上り通信）が発生した際に、上りのＬＡＮフレームの送信元となるＭＡＣアドレスをＣＡＭ１０１のアドレスに指定して、当該ＬＡＮフレームの送信元となる加入者局番号をＣＡＭ１０１に蓄積（ストア）していくことが行われる。これにより、下りのＬＡＮフレームを受信した際に、その宛先となるＭＡＣアドレスがＣＡＭ１０１にストア済み（学習済み）であれば、その送信先となる加入者局装置（加入者局番号）を特定することが可能となる。
【００２５】
次に、上記図６を参照して、ＭＡＣ制御部７２やＬＡＮデータリンクレイヤ６３により行われる処理の一例を示す。
ＭＡＣ制御部７２は、フィルタリング処理として、ＣＡＭ１０１を用いて、受信ＬＡＮフレームをＬＡＮ受信バッファ領域８１へ転送するか否かを判定する（処理Ｔ１）。
【００２６】
具体的には、ＭＡＣ制御部７２は、下りのＬＡＮフレームの宛先となるＭＡＣアドレスがＣＡＭ１０１にストアされていない（未学習の）宛先である場合には、例えば、当該ＬＡＮフレームを全ての加入者局装置に対して送信する処理（フラッディング）或いは当該ＬＡＮフレームを廃棄する処理のいずれかを行う構成がとられる。
【００２７】
通常のブリッジ装置の場合には、フラッディングが採用されるが、無線アクセスシステムの場合には、通常、無線帯域を無駄に消費しない目的のため、廃棄する処理を行う方針がとられている。
そこで、本例では、ＭＡＣ制御部７２は、下りのＬＡＮフレームの宛先となるＭＡＣアドレスがＣＡＭ１０１にストアされていない（未学習の）宛先である場合には、当該ＬＡＮフレームを廃棄する。
【００２８】
ＬＡＮデータリンクレイヤ６３は、現在において対象となるディスクリプタ（カレント受信ディスクリプタ）内の受信通知用ビット９２ａ、９２ｂをチェックして、ＬＡＮフレームの受信を検出する。そして、ＬＡＮデータリンクレイヤ６３は、受信したＬＡＮフレームに対して最初に行う処理として、当該受信ＬＡＮフレームの宛先（転送先）に対応する加入者局装置５３ａ、５３ｂを判別する（処理Ｔ２）。通常、この判別処理を行うために、ＣＡＭ１０１のデバイスが用いられ、つまり、ＣＡＭ１０１の記憶内容により、受信ＬＡＮフレームの宛先となるＭＡＣアドレスに対して加入者局番号が特定される。
【００２９】
次に、ＬＡＮデータリンクレイヤ６３は、受信ＬＡＮフレームを無線送信用のバッファへ転送する。具体的には、ＬＡＮデータリンクレイヤ６３は、加入者局装置毎に用意されたメモリブロック１１１ａ〜１１１ｃ、１１２ａ〜１１２ｃへ受信ＬＡＮフレームを、例えば連結或いは分割して、格納する（処理Ｔ３）。
【００３０】
ここで、通常、無線送信用のバッファは複数のメモリブロック１１１ａ〜１１１ｃ、１１２ａ〜１１２ｃから構成され、個々のメモリブロック１１１ａ〜１１１ｃ、１１２ａ〜１１２ｃ内に転送されたデータは無線媒体上のデータ送信（転送）スロットに載せられて加入者局装置５３ａ、５３ｂ側へ送信（転送）される。
【００３１】
また、通常、データ送信スロットとしては固定時間の割り当てが為されるものが用いられるため、メモリブロック１１１ａ〜１１１ｃ、１１２ａ〜１１２ｃとしては固定サイズのものが用いられる。これに対して、受信ＬＡＮフレームは可変長であるため、例えば、１つのメモリブロック（つまり、１つのデータ送信スロット）に１つのＬＡＮフレームだけを載せて送信する構成では、無線区間におけるデータ送信効率が悪くなる場合がある。このため、ＬＡＮデータリンクレイヤ６３は、それぞれの加入者局装置毎に確保したメモリブロック１１１ａ〜１１１ｃ、１１２ａ〜１１２ｃに対して、例えば受信ＬＡＮフレームを連結或いは分割した形で転送していく。
【００３２】
上記のようにしてＬＡＮフレームの転送が完了したメモリブロック１１１ａ〜１１１ｃ、１１２ａ〜１１２ｃは、無線リンクレイヤ６１へ渡される。これは、インタフェース部６６に設けられる各送信先（各加入者局装置）毎に存在するキューにより通知される。
この後、無線リンクレイヤ６１は、個々の送信先（加入者局装置）毎にデータ送信スロットを割り当て、データ送信スロットとメモリブロック１１１ａ〜１１１ｃ、１１２ａ〜１１２ｃ上のデータ（転送データ）とのリンクを形成する。
【００３３】
なお、本発明に関する先行技術文献として、加入者無線アクセスシステムにおけるＭＡＣレイヤとＬＡＮデータリンクレイヤとの転送処理に関して先行技術文献を探したが、適当なものが見つからなかったため、本明細書では先行技術文献情報を記載していない。
【００３４】
【発明が解決しようとする課題】
しかしながら、上記図２〜上記図６を参照して説明したような従来の基地局装置５１では、ＭＡＣ制御部７２やＬＡＮデータリンクレイヤ６３によりＣＡＭ１０１を用いて行われる処理が冗長であったため、処理の効率が悪いといった不具合があった。
【００３５】
具体的には、上記したＣＡＭ１０１は、上述のように、ＬＡＮデータリンクレイヤ６３により受信ＬＡＮフレームの送信先を判別するために使用されるほかに、ＭＡＣ制御部７２により受信ＬＡＮフレームをフィルタリングするためにも使用される。このようなフィルタリングを行って宛先不明の受信ＬＡＮフレームを廃棄する方針を採用する場合には、受信ＬＡＮフレームをＭＡＣ制御部７２のレベルで廃棄することにより、ＬＡＮ受信バッファ領域８１が無駄に消費されてしまうことを防ぐことができる。
【００３６】
しかしながら、この場合、ＭＡＣ制御部７２におけるＣＡＭ１０１の参照結果はフィルタリングの目的だけに使用されるため、その後において、ＬＡＮデータリンクレイヤ６３により同一の受信ＬＡＮフレームに対してその送信先を判別するために再度ＣＡＭ１０１にアクセスしなければならず、これが冗長な処理となってしまっていた。
【００３７】
本発明は、このような従来の課題を解決するために為されたもので、受信信号に含まれる宛先識別情報に基づいて受信信号を廃棄するか否かなどを判定する処理及び受信信号を対応する送信先に対して送信する処理を行うに際して、このような処理を効率化することができる通信装置を提供することを目的とする。
【００３８】
【課題を解決するための手段】
上記目的を達成するため、本発明に係る通信装置では、次のような構成により、宛先を識別する宛先識別情報を含む信号を受信し、受信した信号を当該信号に含まれる宛先識別情報に対応する送信先に対して送信する。
すなわち、宛先送信先対応情報記憶手段が、宛先識別情報と送信先を識別する送信先識別情報との対応に関する情報を記憶する。また、受信される信号に対応する送信先識別情報を記憶する送信先識別情報記憶手段を備える。
そして、受信信号送信判定手段が、宛先送信先対応情報記憶手段の記憶内容及び受信される信号に含まれる宛先識別情報に基づいて、受信信号の送信処理に関する判定を行うとともに、例えば受信信号に含まれる宛先識別情報に対応する送信先識別情報を特定することが可能な場合には、受信信号に含まれる宛先識別情報に対応する送信先識別情報を送信先識別情報記憶手段に記憶させる。また、受信信号処理手段が、受信信号送信判定手段による判定後の受信信号を送信先識別情報記憶手段の記憶内容に基づく送信先識別情報に対応する送信先に対して送信するための処理を行う。
【００３９】
従って、受信信号送信判定手段により受信信号に対応する送信先識別情報が宛先送信先対応情報記憶手段の記憶内容に基づいて特定されて送信先識別情報記憶手段に記憶させられ、その後、受信信号処理手段により当該送信先識別情報記憶手段の記憶内容に基づく処理が行われるため、例えば、受信信号に含まれる宛先識別情報に基づいて受信信号を廃棄するか否かなどを判定する処理及び受信信号を対応する送信先に対して送信する処理を行うに際して、このような処理を効率化することができる。
【００４０】
具体的には、従来では、例えば受信信号送信判定手段と受信信号処理手段がそれぞれ独立して宛先送信先対応情報記憶手段の記憶内容を参照するような構成であったが、本発明では、受信信号送信判定手段が宛先送信先対応情報記憶手段の記憶内容を参照した結果を受信信号処理手段が参照するような構成であるため、処理の効率化が図られる。
【００４１】
ここで、本発明に係る通信装置としては、種々なものに適用されてもよい。
また、宛先としては、種々なものが用いられてもよい。
また、宛先識別情報としては、種々な情報が用いられてもよい。
また、宛先識別情報を含む信号には、例えば、通信対象となるデータや、或いは制御のための情報が含まれる。
また、送信先としては、種々なものが用いられてもよい。
また、送信先識別情報としては、種々な情報が用いられてもよい。
【００４２】
一例として、送信先と宛先とは異なるものとして、送信先として宛先を収容するものを用いることができ、この場合、本発明に係る通信装置から送信される信号は、送信先により受信された後に、当該送信先から宛先に対して送信される。
他の例として、送信先と宛先とは同じものであるとして、当該同じものに宛先識別情報と送信先識別情報といった異なる識別情報が設定されているような態様を用いることも可能であり、この場合、本発明に係る通信装置から送信される信号は、送信先により受信されることにより、宛先により受信されることとなる。
【００４３】
また、信号を受信する態様や、信号を送信する態様としては、それぞれ、有線を用いて通信を行う態様が用いられてもよく、或いは、無線を用いて通信を行う態様が用いられてもよい。
一例として、有線を用いて信号を受信して、無線を用いて受信信号を送信するような態様を用いることができる。
【００４４】
また、宛先識別情報と送信先識別情報との対応に関する情報としては、種々な情報が用いられてもよく、例えば、当該対応が特定されるような情報が用いられる。
また、送信先識別情報記憶手段は、例えば、各受信信号毎に送信先識別情報を記憶し、或いは、各送信先毎に受信信号若しくは受信信号を特定する情報を記憶する。
【００４５】
また、受信信号の送信処理に関する判定としては、種々な判定が行われてもよく、例えば、受信信号を廃棄するか又は廃棄しないかを判定することつまり受信信号を送信しないか又は送信するかを判定することや、或いは、受信信号を全ての送信先に対して送信するか又は個別の送信先に対して送信するかを判定することなどが行われる。
また、受信信号送信判定手段による判定後の受信信号としては、例えば、受信信号を廃棄するか又は廃棄しないかが判定される場合には、廃棄せずに送信することが判定された受信信号が用いられ、廃棄された受信信号は用いられない。
【００４６】
また、受信信号を送信先識別情報記憶手段の記憶内容に基づく送信先識別情報に対応する送信先に対して送信するための処理としては、種々な処理が用いられてもよく、例えば、送信のための前段の処理が用いられてもよく、或いは、送信の処理が用いられてもよい。
また、受信信号について送信先識別情報記憶手段の記憶内容に基づく送信先識別情報に対応する送信先としては、当該受信信号に含まれる宛先識別情報に対応する送信先識別情報に対応する送信先が用いられる。
【００４７】
なお、本発明に係る通信装置では、送信元から送信される信号を受信して、当該受信した信号を送信先に対して送信する通信に着目しているが、例えば、当該送信先から送信される信号を受信して、当該受信した信号を当該送信元に対して送信する通信が共に行われてもよく、つまり、必ずしも一方向の通信のみが行われなくともよく、双方向の通信が行われてもよい。
【００４８】
また、本発明に係る通信装置では、一構成例として、次のような構成とした。
すなわち、本発明に係る通信装置は、受信側のプロトコルレイヤと、送信側のプロトコルレイヤを有する。
また、受信側のプロトコルレイヤには、受信信号処理手段を備えた第１のレイヤと、受信信号送信判定手段を備えた第２のレイヤが含まれる。
また、第１のレイヤはソフトウエアを用いて構成され、第２のレイヤはハードウエアを用いて構成される。
【００４９】
従って、例えば、受信側のプロトコルレイヤにおいてハードウエアを用いて構成される第２のレイヤからソフトウエアを用いて構成される第１のレイヤへ受信信号を渡して、当該第１のレイヤから送信側のプロトコルレイヤへ当該受信信号を渡す（転送する）処理に関して、処理の効率化を図ることができる。
【００５０】
ここで、受信側のプロトコルレイヤや、送信側のプロトコルレイヤとしては、それぞれ種々なものが用いられてもよい。
また、第１のレイヤや、第２のレイヤとしては、それぞれ種々なものが用いられてもよい。
【００５１】
また、本発明に係る通信装置では、一構成例として、次のような構成とした。
すなわち、本発明に係る通信装置は基地局装置であり、送信先は当該基地局装置により収容される通信局装置であり、宛先識別情報により識別される宛先は当該通信局装置により収容される通信端末装置である。
また、第１のレイヤはデータリンクレイヤであり、第２のレイヤはＭＡＣレイヤである。
また、宛先送信先対応情報記憶手段及び送信先識別情報記憶手段は、それぞれメモリを用いて構成される。
また、受信信号送信判定手段は、受信信号の送信処理に関する判定として受信信号を廃棄するか否かを判定し、少なくとも受信信号を非廃棄とする場合（つまり、廃棄しない場合）に当該受信信号に含まれる宛先識別情報に対応する送信先識別情報を送信先識別情報記憶手段に記憶させる。
【００５２】
従って、ＭＡＣレイヤにおいて受信信号を廃棄するか否かを判定し、データリンクレイヤにおいて受信信号を送信先に対して送信するための処理を行うに際して、ＭＡＣレイヤにおいて取得される宛先送信先対応情報記憶手段の記憶内容の参照結果をデータリンクレイヤにより利用するため、処理の効率化を図ることができる。
【００５３】
ここで、基地局装置や、通信局装置や、通信端末装置としては、それぞれ種々なものが用いられてもよい。
また、基地局装置により収容される通信局装置としては、例えば、基地局装置と無線或いは有線により通信可能に接続される。
また、基地局装置により収容される通信局装置の数としては、例えば１又は複数の種々な数であってもよい。
【００５４】
また、通信局装置により収容される通信端末装置としては、例えば、通信局装置と有線或いは無線により通信可能に接続される。
また、通信局装置により収容される通信端末装置の数としては、例えば１又は複数の種々な数であってもよい。
また、メモリとしては、種々なものが用いられてもよい。
【００５５】
また、少なくとも受信信号を非廃棄とする場合に当該受信信号に含まれる宛先識別情報に対応する送信先識別情報を送信先識別情報記憶手段に記憶させる態様としては、例えば、受信信号を非廃棄とする場合にのみ当該記憶させる処理を行う態様が用いられてもよく、或いは、受信信号を非廃棄とする場合を含む全ての場合又は所定の場合に当該記憶させる処理を行うような態様が用いられてもよい。
【００５６】
なお、受信信号の送信処理に関する判定として、受信信号を全ての送信先に対して送信するか又は個別の送信先に対して送信するかを判定することが行われる場合には、例えば、全ての受信信号について、当該判定結果に基づいて、全ての送信先を指定する送信先識別情報又は個別の送信先を指定する送信先識別情報を送信先識別情報記憶手段に記憶させる態様などを用いることができる。
【００５７】
以下で、更に、本発明の構成例を示す。
本発明に係る通信装置では、基地局装置として構成される場合に、一構成例として、受信される信号は、ＬＡＮのフレームの信号であり、例えば他の基地局装置などからバックボーンのＬＡＮを介して受信される。
また、宛先識別情報は宛先となる通信端末装置に設定されたＭＡＣアドレスの情報であり、送信先識別情報は基地局装置により収容される各通信局装置を識別する通信局番号の情報である。
【００５８】
ここで、ＬＡＮのフレームとしては、種々なものが用いられてもよい。
また、バックボーンのＬＡＮとしては、種々なものが用いられてもよい。
また、ＭＡＣアドレスの情報としては、種々な情報が用いられてもよい。
また、通信局番号の情報としては、種々な情報が用いられてもよい。
【００５９】
また、本発明に係る通信装置では、一構成例として、宛先送信先対応情報記憶手段は、連想メモリデバイスを用いて構成され、宛先識別情報と送信先識別情報との対応を記憶し、指定される宛先識別情報に対応する送信先識別情報を特定する。具体例として、宛先送信先対応情報記憶手段は、外部から入力される宛先識別情報をキーとして当該キーに対応する送信先識別情報を外部へ出力する。
ここで、連想メモリデバイスとしては、種々なものが用いられてもよい。
【００６０】
また、本発明に係る通信装置では、送信先との間で双方向通信が行われる構成において、一構成例として、送信先から送信される信号を受信した場合に、当該送信先の識別情報を送信先識別情報とみなすとともに当該受信信号に含まれる発信元の識別情報を宛先識別情報とみなして、当該宛先識別情報と当該送信先識別情報との対応に関する情報を宛先送信先対応情報記憶手段に記憶させる宛先送信先対応情報記憶処理手段を備える。
従って、送信先から受信される信号に基づいて、宛先送信先対応情報記憶手段に情報を登録していくことができる。
【００６１】
また、本発明に係る通信装置では、一構成例として、受信信号送信判定手段は、受信される信号に含まれる宛先識別情報或いは当該宛先識別情報に対応する送信先識別情報が宛先送信先対応情報記憶手段に記憶されているか否かを判定し、当該宛先識別情報或いは当該宛先識別情報に対応する送信先識別情報が宛先送信先対応情報記憶手段に非記憶である場合（つまり、記憶されていない場合）には当該受信信号を廃棄することを判定し、少なくとも当該受信信号を非廃棄とする場合には当該受信信号に含まれる宛先識別情報に対応して宛先送信先対応情報記憶手段に記憶された送信先識別情報を送信先識別情報記憶手段に記憶させる。
【００６２】
また、本発明に係る通信装置では、他の構成例として、受信信号送信判定手段は、受信される信号に含まれる宛先識別情報或いは当該宛先識別情報に対応する送信先識別情報が宛先送信先対応情報記憶手段に記憶されているか否かを判定し、当該宛先識別情報或いは当該宛先識別情報に対応する送信先識別情報が宛先送信先対応情報記憶手段に非記憶である場合（つまり、記憶されていない場合）には当該受信信号を全ての送信先に対して送信することを判定し、少なくとも当該宛先識別情報或いは当該宛先識別情報に対応する送信先識別情報が宛先送信先対応情報記憶手段に記憶されている場合には、当該宛先識別情報に対応して宛先送信先対応情報記憶手段に記憶された送信先識別情報を送信先識別情報記憶手段に記憶させる。
【００６３】
また、本発明に係る通信装置では、受信側のプロトコルレイヤと送信側のプロトコルレイヤを有する構成において、一構成例として、受信側のプロトコルレイヤの第１のレイヤでは、受信信号処理手段は、受信信号送信判定手段による判定後の受信信号を送信先識別情報記憶手段の記憶内容に基づく送信先識別情報に対応する送信先に対して送信するための処理として、当該受信信号を送信側のプロトコルレイヤへ渡す処理を行う。具体例として、送信側のプロトコルレイヤでは各送信先毎に対応する複数のバッファを備えており、第１のレイヤの受信信号処理手段は、受信信号送信判定手段による判定後の受信信号を送信先識別情報記憶手段の記憶内容に基づく送信先識別情報に対応する送信先に対応するバッファに格納する。
【００６４】
また、本発明に係る通信装置では、一構成例として、送信先識別情報記憶手段は、システムメモリを用いて構成される。具体例として、送信先識別情報記憶手段は、システムメモリに設けられたディスクリプタ領域を用いて構成され、受信信号を特定する情報と、当該受信信号に対応する送信先識別情報とを対応付けて記憶する。
【００６５】
ここで、システムメモリや、ディスクリプタ領域としては、それぞれ種々なものが用いられてもよい。
また、受信信号を特定する情報としては、例えば、受信信号自体の情報や、或いは、受信信号を記憶する領域のアドレスの情報などを用いることができる。一構成例として、システムメモリには受信信号を一時的に格納する受信信号バッファ手段が設けられ、ディスクリプタ領域において受信信号を特定する情報として当該受信信号が受信信号バッファ手段に格納されたアドレスの情報が用いられる。
【００６６】
また、本発明に係る通信装置では、受信側のプロトコルレイヤと送信側のプロトコルレイヤを有する構成において、一構成例として、受信側のプロトコルレイヤでは、ＭＡＣレイヤである第２のレイヤは、ＭＡＣ制御部とＤＭＡＣを備える。
また、ＭＡＣ制御部は、受信信号を入力してＤＭＡＣへ出力するＭＡＣ制御部受信信号入出力手段と、受信信号に含まれる宛先識別情報或いは当該宛先識別情報に対応する送信先識別情報が宛先送信先対応情報記憶手段に記憶されているか否かを判定する宛先識別情報記憶判定手段と、受信信号に含まれる宛先識別情報或いは当該宛先識別情報に対応する送信先識別情報が宛先送信先対応情報記憶手段に非記憶である場合（つまり、記憶されていない場合）には当該受信信号を廃棄することを判定して当該受信信号を廃棄する受信信号廃棄手段と、少なくとも受信信号を非廃棄とする場合には当該受信信号に含まれる宛先識別情報に対応して宛先送信先対応情報記憶手段に記憶された送信先識別情報を読み出して記憶するＭＡＣ制御部送信先識別情報記憶手段とを備える。
また、ＤＭＡＣは、ＭＡＣ制御部から受信信号を入力してシステムメモリへ出力するＤＭＡＣ受信信号入出力手段と、ＭＡＣ制御部送信先識別情報記憶手段に記憶された送信先識別情報を入力してシステムメモリへ出力する送信先識別情報入出力手段とを備える。
【００６７】
ここで、ＭＡＣ制御部のＭＡＣ制御部受信信号入出力手段は、例えば、物理レイヤから受信信号を入力する。
また、ＤＭＡＣは、例えば、送信先識別情報入出力手段により入出力される送信先識別情報を記憶するＤＭＡＣ送信先識別情報記憶手段を備える。
【００６８】
また、本発明に係る通信装置では、一構成例として、当該通信装置は加入者無線アクセスシステムの基地局装置であり、送信先は当該加入者無線アクセスシステムの加入者局装置であり、宛先識別情報により識別される宛先は当該加入者無線アクセスシステムの加入者端末装置である。
ここで、加入者無線アクセスシステムや、当該システムに備えられる基地局装置や加入者局装置や加入者端末装置としては、種々なものが用いられてもよく、また、それぞれの装置の数としては、種々な数が用いられてもよい。
【００６９】
【発明の実施の形態】
本発明に係る一実施例を図面を参照して説明する。
本例では、上記図２〜上記図６を参照して説明したような加入者無線アクセスシステムの基地局装置に本発明を適用した場合を示す。このため、本例では、上記図２〜上記図６を参照して説明したのと同様な構成や動作については説明を省略或いは簡略化し、異なる構成や動作について詳しく説明する。
【００７０】
図１には、本例の基地局装置に備えられたＭＡＣレイヤ１やシステムメモリ２やＣＡＭ３に関する構成例を示してある。
ＭＡＣレイヤ１には、ＭＡＣ制御部１１と、ＤＭＡＣ１２と、ＭＡＣ制御部１１とＤＭＡＣ１２とをインタフェースする複数のバスインタフェース１４ａ〜１４ｃから構成されるバスインタフェース群１４が備えられている。
また、ＭＡＣレイヤ１とＬＡＮ物理レイヤ（図示せず）との間には、これらをインタフェースするバスインタフェース群（物理層バスインタフェース群）１３が備えられている。
【００７１】
ＭＡＣ制御部１１には、ＬＡＮフレーム送受信ＦＩＦＯ２１と、ＭＡＣコントロール／ステータスレジスタ部２２と、ＣＡＭ参照結果格納レジスタ２３と、ＣＡＭ参照制御部２４が備えられている。
ＤＭＡＣ１２には、ＬＡＮフレーム送受信ＦＩＦＯ２５と、ＤＭＡＣコントロール／ステータスレジスタ部２６と、ＣＡＭ参照結果保持部２７が備えられている。
【００７２】
また、ＭＡＣ制御部１１のＬＡＮフレーム送受信ＦＩＦＯ２１とＤＭＡＣ１２のＬＡＮフレーム送受信ＦＩＦＯ２５とがバスインタフェース１４ａにより接続されており、ＭＡＣ制御部１１のＭＡＣコントロール／ステータスレジスタ部２２とＤＭＡＣ１２のＤＭＡＣコントロール／ステータスレジスタ部２６とがバスインタフェース１４ｂにより接続されており、ＭＡＣ制御部１１のＣＡＭ参照結果格納レジスタ２３とＤＭＡＣ１２のＣＡＭ参照結果保持部２７とがバスインタフェース１４ｂにより接続されている。
【００７３】
システムメモリ２には、受信ＬＡＮフレームＦ１を格納するＬＡＮ受信バッファ３１と、ディスクリプタ領域３２が設けられている。
ディスクリプタ領域３２には、例えば１番目、２番目、・・・といった複数のディスクリプタについて、それぞれ、次のディスクリプタへのリンク先４１と、受信通知用ビット４２と、受信ＬＡＮフレーム格納先４３と、受信ＬＡＮフレームサイズ４４と、受信ステータス４５と、ＣＡＭ参照結果４６が設けられている。
【００７４】
また、ＭＡＣレイヤ１とシステムメモリ２との間には、これらをインタフェースするバスインタフェース群（システムメモリバスインタフェース群）１５が備えられている。
また、ＣＡＭ３は、ＭＡＣ制御部１１のＣＡＭ参照制御部２４により当該ＣＡＭ３の記憶内容を参照することが可能な構成で、備えられている。なお、本例の図１では、ＭＡＣレイヤ１の外部にＣＡＭ３を備えた構成を示したが、例えば、ＭＡＣレイヤ１の内部やＭＡＣ制御部１１の内部などの種々なところにＣＡＭ３が備えられてもよい。
【００７５】
次に、上記図１に示したそれぞれの構成部により行われる動作の例などを示す。
ＭＡＣレイヤ１のモジュールは、ＬＡＮデータリンクレイヤ（図示せず）の下位層に位置している。
物理層バスインタフェース群１３は、例えばＭＩＩ（Machine Independent Interface）などを用いて構成され、物理層（ＬＡＮ物理レイヤ）とＭＡＣレイヤ１とを接続してＬＡＮフレームの送受信を可能とする。
【００７６】
ＭＡＣ制御部１１のＬＡＮフレーム送受信ＦＩＦＯ２１は、送受信するＬＡＮフレームを一時的に格納する。
ＭＡＣ制御部１１のＭＡＣコントロール／ステータスレジスタ部２２は、制御用の情報を格納するＭＡＣコントロールレジスタ群と、送受信のステータスを格納するＭＡＣステータスレジスタ群を備えている。
【００７７】
ＭＡＣ制御部１１のＣＡＭ参照制御部２４は、外部（又は内部）のＣＡＭ３を参照する処理を実行する。
ＭＡＣ制御部１１のＣＡＭ参照結果格納レジスタ２３は、ＣＡＭ３の参照結果を格納する。
ＭＡＣ制御部１１とＤＭＡＣ１２との間のバスインタフェース群１４は、ＭＡＣ制御部１１とＤＭＡＣ１２とを接続してＬＡＮフレームの転送などを可能とする。
【００７８】
ＤＭＡＣ１２のＬＡＮフレーム送受信ＦＩＦＯ２５は、送受信するＬＡＮフレームを一時的に格納する。
ＤＭＡＣ１２のＤＭＡＣコントロール／ステータスレジスタ部２６は、制御用の情報を格納するＤＭＡＣコントロールレジスタ群と、転送のステータスやＭＡＣステータスレジスタ群の格納内容を格納するＤＭＡＣステータスレジスタ群を備えている。
ＤＭＡＣ１２のＣＡＭ参照結果保持部２７は、ＭＡＣ制御部１１のＣＡＭ参照結果格納レジスタ２３の格納内容を一時的に保持する。
【００７９】
システムメモリバスインタフェース群１５は、ＭＡＣレイヤ１とシステムメモリ２とを接続してＬＡＮフレームの転送などを可能とする。
システムメモリ２のディスクリプタ領域３２に設けられるＣＡＭ参照結果４６は、ＭＡＣレイヤ１のＤＭＡＣ１２から入力されるＣＡＭ３の参照結果を格納する。
また、システムメモリ２のディスクリプタ領域３２に設けられる先頭のディスクリプタのアドレスは、例えば、システムの初期化時に、ＤＭＡＣ１２が具備する専用のレジスタ２６により通知される。
【００８０】
なお、本例では、上記した物理層バスインタフェース群１３やＭＡＣレイヤ１内のバスインタフェース群１４やシステムメモリバスインタフェース群１５がそれぞれのモジュールの間を接続することにより、物理層とＬＡＮデータリンクレイヤとの間でＭＡＣレイヤ１を介してＬＡＮフレームの送受信などを行うことを可能としている。
【００８１】
次に、上記図１に示した構成部により行われる全体的な処理の一例を示す。
なお、本例では、物理層からＭＡＣレイヤ１を介してＬＡＮデータリンクレイヤへＬＡＮフレームを転送する処理つまり基地局装置がバックボーンＬＡＮから受信されるＬＡＮフレームを加入者局装置に対して無線送信する下り通信が行われる場合の処理について示すが、基地局装置では、例えば、ＬＡＮデータリンクレイヤからＭＡＣレイヤ１を介して物理層へＬＡＮフレームを転送する処理つまり基地局装置が加入者局装置から無線受信されるＬＡＮフレームをバックボーンＬＡＮへ送信する上り通信が行われる場合の処理についても実行される。
【００８２】
まず、ＭＡＣ制御部１１では、物理層からＬＡＮフレームを受信した際に、ＣＡＭ参照制御部２４が当該ＬＡＮフレームの宛先となるＭＡＣアドレスをキーとして、ＣＡＭ３を参照する。
この参照の結果、当該ＬＡＮフレームに対するＣＡＭ３のエントリである送信先（転送先）の加入者局番号が存在しない場合には、つまり、当該ＬＡＮフレームに含まれる宛先となるＭＡＣアドレス或いは当該ＭＡＣアドレスに対応する加入者局番号がＣＡＭ３に登録されていない場合には、受信した当該ＬＡＮフレームをＭＡＣ制御部１１がその内部で廃棄し、この場合には、当該ＬＡＮフレームはＤＭＡＣ１２側へは転送されない。
【００８３】
一方、上記の参照の結果、当該ＬＡＮフレームに対するＣＡＭ３のエントリである送信先（転送先）の加入者局番号が存在する場合には、つまり、当該ＬＡＮフレームに含まれる宛先となるＭＡＣアドレスに対応する加入者局番号がＣＡＭ３に登録されている場合には、ＣＡＭ参照制御部２４が当該エントリの内容つまり送信先となる当該加入者局番号をＣＡＭ参照結果格納レジスタ２４に格納する。
【００８４】
また、この場合には、続いて、以下の処理が行われる。
すなわち、ＤＭＡＣ１２側において、ＭＡＣ制御部１１から受信された当該ＬＡＮフレームを読み出し、読み出した当該ＬＡＮフレームを、ＬＡＮフレーム受信ＦＩＦＯ２５を経由して、システムメモリ２に設けられたＬＡＮ受信バッファ３１の空きエリアへ転送する。
【００８５】
更に、ＤＭＡＣ１２では、当該ＬＡＮフレームの受信ステータスを、ＭＡＣステータスレジスタ２２からＤＭＡＣステータスレジスタ２６を経由して、システムメモリ２に設けられたディスクリプタ領域３２の受信ステータス４５に書き込み、これと同時に、ＭＡＣ制御部１１のＣＡＭ参照結果格納レジスタ２３に格納されたデータを、ＣＡＭ参照結果保持部２７を経由して、当該ディスクリプタ領域３２のＣＡＭ参照結果４６に書き込み、また、当該ＬＡＮフレームの転送に関する他の情報についてもあわせて当該ディスクリプタ領域３２に書き込む。
【００８６】
次いで、システム側のＬＡＮデータリンクレイヤでは、ＬＡＮ受信バッファ３１に格納された受信ＬＡＮフレームを当該ＬＡＮ受信バッファ３１から無線側の無線送信用バッファを構成するメモリブロックへ転送する処理を、ディスクリプタ領域３２のＣＡＭ参照結果４６を参照して当該受信ＬＡＮフレームの送信先となる加入者局番号を特定して、当該特定した加入者局番号に対応したメモリブロックへ当該受信ＬＡＮフレームを格納することにより行う。
【００８７】
以上のように、本例の無線アクセスシステムに備えられる基地局装置では、ＬＡＮデータリンクレイヤが、例えばＭＡＣ制御部１１に続いて再度ＣＡＭ３を参照することを行わずに、比較的にアクセスし易いシステムメモリ２に設けられたディスクリプタ領域３２のＣＡＭ参照結果４６を参照するだけで無線側へ転送するＬＡＮフレームの送信先（加入者局番号）を判別することができるため、例えば従来と比べて、ＬＡＮデータリンクレイヤにおける受信ＬＡＮフレーム転送処理の一部を軽減することができ、これにより、バックボーンＬＡＮ側のＭＡＣレイヤ１１からＬＡＮデータリンクレイヤを介して無線側の無線リンクレイヤへの受信ＬＡＮフレームの転送処理の高速化を図ることができる。
【００８８】
なお、一般に、ＣＡＭ３のデバイスはテーブルの高速検索を可能としているが、それでも、ディスクリプタ領域３２を参照する処理（メモリリードの処理）の方が圧倒的に短時間で済む。このため、本例のように、従来においてＭＡＣレイヤ１とＬＡＮデータリンクレイヤとの両方から行われていたＣＡＭ３ヘのアクセス処理をＭＡＣレイヤ１側からのアクセスのみにまとめて、ＣＡＭ３を２回重ねてアクセスする冗長性を排除することにより、ＬＡＮデータリンクレイヤにおけるＬＡＮフレーム毎の処理の一部を軽減することができ、これにより、ＬＡＮデータリンクレイヤにおけるデータ転送処理の高速化を図ることができる。
【００８９】
また、一般に、無線アクセスシステムなどでは、ＬＡＮデータリンクレイヤはソフトウエアにより実装されるスイッチモジュールとして構成されるため、ＬＡＮフレーム毎の処理量や処理時間は可能な限りで少なくすることが望ましく、特に、本発明を適用するのに好適である。
【００９０】
なお、本発明に係る通信装置を適用した本例の基地局装置では、宛先として加入者端末装置が用いられており、送信先として加入者局装置が用いられており、宛先識別情報としてＭＡＣアドレスの情報が用いられており、送信先識別情報として加入者局番号の情報が用いられており、受信して送信する信号としてＬＡＮフレームの信号が用いられている。
【００９１】
また、本例の基地局装置では、ＬＡＮ側から無線側へＬＡＮフレームを転送する処理に関して、ＬＡＮ側のプロトコルレイヤにより受信側のプロトコルレイヤが構成されており、無線側のプロトコルレイヤにより送信側プロトコルレイヤが構成されている。
【００９２】
また、本例の基地局装置では、ＣＡＭ３の機能により宛先送信先対応情報記憶手段が構成されており、ディスクリプタ領域３２に情報を記憶する機能により送信先識別情報記憶手段が構成されており、ＭＡＣレイヤ１の機能により受信信号送信判定手段が構成されており、ＬＡＮデータリンクレイヤの機能により受信信号処理手段が構成されており、ＬＡＮ受信バッファ３１の機能により受信信号バッファ手段が構成されている。
【００９３】
また、本例の基地局装置に備えられたＭＡＣ制御部１１では、ＬＡＮフレーム送受信ＦＩＦＯ２１の機能によりＭＡＣ制御部受信信号入出力手段が構成されており、ＣＡＭ参照制御部２４の機能により宛先識別情報記憶判定手段が構成されており、ＣＡＭ参照制御部２４などの機能により受信信号廃棄手段が構成されており、ＣＡＭ参照制御部２４やＣＡＭ参照結果格納レジスタ２３の機能によりＭＡＣ制御部送信先識別情報記憶手段が構成されている。
また、本例の基地局装置に備えられたＤＭＡＣ１２では、ＬＡＮフレーム送受信ＦＩＦＯ２５の機能によりＤＭＡＣ受信信号入出力手段が構成されており、ＣＡＭ参照結果保持部２７などの機能により送信先識別情報入出力手段が構成されている。
【００９４】
ここで、本発明に係る通信装置や通信システムなどの構成としては、必ずしも以上に示したものに限られず、種々な構成が用いられてもよい。なお、本発明は、例えば本発明に係る処理を実行する方法或いは方式や、このような方法や方式を実現するためのプログラムなどとして提供することも可能である。
また、本発明の適用分野としては、必ずしも以上に示したものに限られず、本発明は、種々な分野に適用することが可能なものである。
【００９５】
また、本発明に係る通信装置や通信システムなどにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【００９６】
【発明の効果】
以上説明したように、本発明に係る通信装置によると、宛先識別情報を含む信号を受信し、受信した信号を宛先識別情報に対応する送信先に対して送信するに際して、例えば、ＭＡＣレイヤにおいて、宛先識別情報と送信先識別情報との対応を記憶する宛先送信先対応情報記憶部の記憶内容及び受信信号に含まれる宛先識別情報に基づいて、受信信号の送信処理に関する判定を行うとともに、受信信号に含まれる宛先識別情報に対応する送信先識別情報を特定することが可能な場合には当該送信先識別情報を送信先識別情報記憶部に記憶させ、その後、データリンクレイヤにおいて、当該判定後の受信信号を当該送信先識別情報記憶部の記憶内容に基づく送信先識別情報に対応する送信先に対して送信するための処理を行うようにしたため、このような一連の処理を効率化することができる。
【図面の簡単な説明】
【図１】本発明の一実施例に係る基地局装置に備えられたＭＡＣレイヤやシステムメモリやＣＡＭに関する構成例を示す図である。
【図２】無線アクセスシステムの構成例を示す図である。
【図３】基地局装置のプロトコルスタックの構成例及びバックボーンＬＡＮ側の構成例を示す図である。
【図４】ＬＡＮデータリンクレイヤと無線リンクレイヤとの間のインタフェース部分の構成例を示す図である。
【図５】ディスクリプタ領域の構成例を示す図である。
【図６】ＭＡＣ制御部及びＬＡＮデータリンクレイヤにより行われる処理の一例を説明するための図である。
【符号の説明】
１、６４・・ＭＡＣレイヤ、  ２・・システムメモリ、
３、１０１・・ＣＡＭ、  １１、７２・・ＭＡＣ制御部、
１２、７１・・ＤＭＡＣ、  １３〜１５・・バスインタフェース群、
１４ａ〜１４ｃ・・バスインタフェース、
２１、２５・・ＬＡＮフレーム送受信ＦＩＦＯ、
２２、２６・・コントロール／ステータスレジスタ部、
２３・・ＣＡＭ参照結果格納レジスタ、  ２４・・ＣＡＭ参照制御部、
２７・・ＣＡＭ参照結果保持部、  ３１、８１・・ＬＡＮ受信バッファ、
３２、８２・・ディスクリプタ領域、
４１、９１ａ、９１ｂ・・次のディスクリプタへのリンク先、
４２、９２ａ、９２ｂ・・受信通知用ビット、
４３、９３ａ、９３ｂ・・受信ＬＡＮフレーム格納先、
４４、９４ａ、９４ｂ・・受信ＬＡＮフレームサイズ、
４５・・受信ステータス、  ４６・・ＣＡＭ参照結果、
Ｆ１、Ｆ１１、Ｆ１２・・ＬＡＮフレーム、  ５１ａ、５１ｂ・・基地局装置、
５２・・バックボーンＬＡＮ、  ５３ａ、５３ｂ・・加入者局装置、
５４ａ、５４ｂ、５５ａ、５５ｂ・・加入者端末装置、
６１・・無線リンクレイヤ、  ６２・・無線物理レイヤ、
６３・・ＬＡＮデータリンクレイヤ、  ６５・・ＬＡＮ物理レイヤ、
６６・・インタフェース部、  ６７・・ＬＡＮ送受信バッファ、
Ｑ１、Ｑ２、ＱＡ・・キュー部、
１１１ａ〜１１１ｃ、１１２ａ〜１１２ｃ・・メモリブロック、
【図１】
2004200996.tif 000003
【図２】
2004200996.tif 000004
【図３】
2004200996.tif 000005
【図４】
2004200996.tif 000006
【図５】
2004200996.tif 000007
【図６】
2004200996.tif 000008